(57)【要約】【課題】フィット性を向上しつつ、排尿を他人に極力知られないような吸収性物品を提供する。【解決手段】本発明の吸収性物品１０は、液透過性の表面シート１４と、液不透過性の裏面シート１２と、前記表面シート１４と前記裏面シート１２との間に配置され、前記裏面シート１２と第１接合部２１ａを介して接合される吸収体１３と、前記裏面シート１２の外側表面と第２接合部２１ｂを介して接合されるカバーシート１１と、を備える吸収性物品１０であって、前記吸収体１３には、複数の凹部２０が形成された凹部形成領域Ｎ１が設けられ、前記凹部形成領域Ｎ１と前記カバーシート１１とで挟まれた５０％以上の領域には、前記第１接合部２１ａと前記第２接合部２１ｂとが少なくとも重ならないように配置される。【選択図】図５
2018202236.tif 000002
【特許請求の範囲】
【請求項１】
液透過性の表面シートと、液不透過性の裏面シートと、前記表面シートと前記裏面シートとの間に配置され、前記裏面シートと第１接合部を介して接合される吸収体と、前記裏面シートの外側表面と第２接合部を介して接合されるカバーシートと、を備える吸収性物品であって、
前記吸収体には、複数の凹部が形成された凹部形成領域が設けられ、
前記凹部形成領域と前記カバーシートとで挟まれた５０％以上の領域には、前記第１接合部と前記第２接合部とが少なくとも重ならないように配置されることを特徴とする吸収性物品。
【請求項２】
前記凹部形成領域と前記カバーシートとで挟まれた領域には、前記第１接合部と前記第２接合部とが少なくとも重ならないように配置されることを特徴とする請求項１に記載の吸収性物品。
【請求項３】
前記凹部形成領域と前記裏面シートとで挟まれた領域には、前記第１接合部が配置されないことを特徴とする請求項２に記載の吸収性物品。
【請求項４】
前記凹部形成領域と前記カバーシートとで挟まれた領域には、前記第２接合部が配置されないことを特徴とする請求項２に記載の吸収性物品。
【請求項５】
前記凹部形成領域と前記カバーシートとで挟まれた領域には、前記第１接合部と前記第２接合部とが交互に一定間隔で配置されることを特徴とする請求項２に記載の吸収性物品。
【請求項６】
前記凹部は、前記吸収体の端部まで形成されていることを特徴とする請求項１から請求項５のいずれか一項に記載の吸収性物品。
【発明の詳細な説明】
【技術分野】
【０００１】
本発明は、液透過性のトップシートと、液不透過性のバックシートと、これらの間に配置される吸収体とを有する吸収性物品に関する。
【背景技術】
【０００２】
従来、排出された体液（以下、単に「液体」とも言う）を吸収体に誘導して吸収させた使い捨ておむつ（以下、単に「おむつ」とも言う）等の吸収性物品が広く知られている。吸収体は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなる吸収性本体を、ティシュや不織布等の被覆部材によって包んだものである。この吸収体は、トップシートやバックシートと比較して厚いものとなっており、着用者の肌にうまくフィットするように折れ曲がりにくい場合がある。
【０００３】
そこで、例えば、特許文献１には、吸収体に複数の溝を形成し、その溝において折れ曲げやすくすることにより、着用者の肌に対するフィット性の向上を図ったものが開示されている。
【先行技術文献】
【特許文献】
【０００４】
【特許文献１】特開２０１３−２５５５６０号公報
【発明の概要】
【発明が解決しようとする課題】
【０００５】
しかしながら、特許文献１に記載の吸収性物品では、吸収体が液体を吸収したときに、その吸収体に形成された複数の溝の間に在る吸収部分がそれぞれ膨張して、それら複数の吸収部分に対応する吸収性物品の外側がそれぞれ変形し、その様子を見て排尿したことが他人に知られてしまうおそれがあった。これは、着用者またはその保護者にとって恥ずかしいものとなる場合がある。このため、フィット性を向上させるためのおむつには改良の余地がある。
【０００６】
本発明の目的は、フィット性を向上しつつ、排尿を他人に極力知られないような吸収性物品を提供することにある。
【課題を解決するための手段】
【０００７】
本発明による吸収性物品は、液透過性の表面シートと、液不透過性の裏面シートと、表面シートと裏面シートとの間に配置され、裏面シートと第１接合部を介して接合される吸収体と、裏面シートの外側表面と第２接合部を介して接合されるカバーシートと、を備える吸収性物品であって、吸収体には、複数の凹部が形成された凹部形成領域が設けられ、該凹部形成領域とカバーシートとで挟まれた５０％以上の領域には、第１接合部と第２接合部とが少なくとも重ならないように配置されることを特徴とするものである。
【発明の効果】
【０００８】
本発明によれば、フィット性を向上しつつ、排尿を他人に極力知られないようにすることが可能となる。
【図面の簡単な説明】
【０００９】
【図１】本発明の第１実施形態に係るおむつの一例の外観において、正面側から見た斜視図である。
【図２】図１に示すおむつの分解斜視図である。
【図３】本発明の第１実施形態に係る、伸張状態のおむつをトップシート側から見た平面図である。
【図４】本発明の第１実施形態に係る、吸収体をトップシート側から見た平面図であり、複数の凹部が形成された凹部形成領域の一例を説明するための図である。
【図５】図３におけるＶ−Ｖ方向断面図である。
【図６】本発明の第２実施形態に係るおむつの断面図であり、図３におけるＶ−Ｖ方向断面図である。
【図７】本発明の第３実施形態に係るおむつの断面図であり、図３におけるＶ−Ｖ方向断面図である。
【発明を実施するための形態】
【００１０】
本発明による吸収性物品の実施形態について、図１から図７を参照しながら詳細に説明する。ただし、本発明は本実施形態の態様に限定されるものではない。
【００１１】
本実施形態に係る吸収性物品は、吸収体の表面に形成された複数の凹部を包含する領域とカバーシートとで挟まれた所定の領域には、バックシートと吸収体とを接合する領域と、バックシートとカバーシートとを接合する領域と、が少なくとも重ならないように配置されるように構成される。この構成により、凹部において折れ曲げやすくなってフィット性を向上させ、且つ、吸収体が液体を吸収しても、その吸収部分が外側に膨らむ様子が他人にわかりにくくなる結果、排尿を他人に極力知られないようにすることが可能となる。
【００１２】
先ず、本発明を展開型使い捨ておむつに応用した第１実施形態を以下に説明する。
【００１３】
＜第１実施形態＞  
＜構成＞  
図１に本発明の第１実施形態に係るおむつの一例の外観において、正面側から見た斜視図を示す。本実施形態に係るおむつ１０は、展開型使い捨ておむつであり、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部と股下領域１０Ｃとで着用者の両脚の太股部分を取り囲む左右一対の脚周り開口部１０Ｌが形成されている。
【００１４】
着用時に前身頃領域１０Ｆは、着用者の腹側に位置し、後身頃領域１０Ｒは着用者の背側に位置する。そして、着用時に股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太股あたりのいずれかに位置することとなる。
【００１５】
仮想線Ｐは、おむつ中央部において腹側から背側に向かって、股下部分を通って延びるものである。具体的には、仮想線Ｐは、例えば、おむつのウエスト側を上、股下側を下として定義すると、おむつ表面に沿って、かつ上下方向に延びると共に、股下部分を経由して、背側においても上下方向に延びるものである。
【００１６】
おむつ１０の外側に位置するカバーシート１１の後身頃領域１０Ｒの左右両端縁部には、着用時に前身頃領域１０Ｆの左右両端縁部に重ね合わせてこれらをつなぎ、脚周り開口部１０Ｌを形成し得る左右一対のファスニングテープ１０Ａが接着されている。このファスニングテープ１０Ａは、前身頃領域１０Ｆのカバーシート１１上に接着されたフロントパッチシート１０Ｂに対して繰り返し剥離可能に接合される。
【００１７】
図２は、図１に示すおむつ１０の模式的な分解斜視図であり、図３は、本発明の第１実施形態に係る、伸張状態のおむつ１０をトップシート１４側から見た平面図である。図２の吸収体１３および図３のおむつ１０については、説明の便宜上、部分的に破断した状態をそれぞれ示している。
【００１８】
図２に示すように、本実施形態におけるおむつ１０は、外側から順に、良好な手触りを得るために薄い不織布にて形成されるカバーシート１１と、液不透過性および透湿性を有するバックシート（裏面シート）１２と、細長い吸収体１３と、液透過性を有するトップシート（表面シート）１４と、疎水性のシート部材で構成された一対の立体ギャザー（サイドシート）１５と、を重ねた積層構造を有しているものである。
【００１９】
カバーシート１１の股下領域１０Ｃの左右両側には、それぞれ脚周り開口部１０Ｌとなる一対の切欠き部１１Ｎが形成されている。カバーシート１１と一対の立体ギャザー１５との間には、脚周りギャザーを形成するための一対の糸ゴム１６がそれぞれ伸張状態で接着されている。
【００２０】
バックシート１２を構成する材料としては、例えば、微細な孔が多数形成されたポリエチレン等の樹脂からなるフィルムを挙げることができる。バックシート１２は、カバーシート１１に接合され、吸収体１３は、このバックシート１２とトップシート１４との間に配置され、この吸収体１３を介してトップシート１４がバックシート１２に接合される。本実施形態では、詳細は図５において後述するが、バックシート１２とカバーシート１１とは全面的に接合され、吸収体１３とバックシート１２とは所定の領域において接合されない。また、バックシート１２のうち、後身頃領域１０Ｒの上端部に対応する領域には、バックシート１２の幅方向に沿って延び、着用者に対してウエスト周りに適度な着用感を与えるための弾性シート１０Ｄが接合されている。
【００２１】
トップシート１４の下に位置する本実施形態の吸収体１３は、主にパルプとＳＡＰとからなる吸収性本体１７を、ティシュや不織布等の被覆部材（コアラップ）１８によって包んだものである。吸収性本体１７を被覆部材１８により包むことで形成される継ぎ目は、例えば、図２に示すように、吸収体１３の上面であって長手方向に延びるように形成される。本実施形態の吸収体１３は、前身頃、股下、後身頃に亘るように、細長い形状をしている。ここで、前身頃部分から後身頃部分を前後（上下）方向とし、それに直交する方向を左右方向とすると、本実施形態の吸収体１３は、前後（上下）左右の長さが異なる矩形のものである（図２および図３では、前後（上下）の長さが左右の長さより長くなっている）。なお、本実施形態の吸収体１３の形状はこれに限らず、例えば、前後（上下）左右の長さが同程度の略正方形のもの、前後（上下）端の角が丸く落とされているもの、前後（上下）に延びる楕円形のもの、円形のもの等、さまざまな形状を含む。また、吸収体１３の股下部分には、一対の脚周り開口部１０Ｌに対応するように、円弧状をなす一対の切欠き部が形成されても良い。本実施形態では、図３に示すように、吸収体１３の表面には複数の凹部２０が形成される。この凹部２０は、例えば、吸収体１３とトップシート１４の積層体（以下、「吸収部分」とも言う）を圧搾することで設けられる。また、本実施形態では、複数の凹部２０が形成された吸収体１３の領域（後述する図４を参照）とカバーシート１１とで挟まれた所定の領域には、吸収体１３とバックシート１２とを接合する接合部と、バックシート１２とカバーシート１１とを接合する接合部と、が少なくとも重ならないように配置される（後述する図５から図７を参照）。接合部は、ホットメルト、接着剤による接着や、熱融着によって形成される。
【００２２】
一対の立体ギャザー１５は、吸収体１３の長手方向に沿って設けられ、吸収体１３の長手方向に延びる両側縁部のうち、一方の側縁部は略直線形状を呈し、他方の側縁部には、股下付近に切欠き部１５Ｎが形成されている。一対の立体ギャザー１５の内側部分がトップシート１４に対して非接合状態となっており、立体ギャザー１５は、その略直線形状の側縁部に自由端を含む。立体ギャザー１５の自由端には、図３に示すように、引っ張り力を作用する弾性部材である糸ゴム１９が吸収体１３の長手方向に沿って伸張状態で配置されている。一対の立体ギャザー１５は、この糸ゴム１９により、着用状態において吸収体１３の両側縁部に沿って起立可能となる。
【００２３】
＜複数の凹部が形成された吸収体の領域＞  
図４は本発明の第１実施形態に係る、吸収体１３をトップシート１４側から見た平面図であり、複数の凹部２０が形成された吸収体１３の領域（以下、「凹部形成領域」とも言う）の一例を説明するための図である。
【００２４】
上述したように、吸収体１３の表面には複数の凹部２０が形成される。本実施形態では、複数の凹部２０は、吸収体１３の表面に斜め格子状に形成されている。この構成により、凹部において折り曲げやすくなり、フィット性を向上させることが可能となっている。
【００２５】
凹部形成領域は、例えば、複数の凹部２０の両側端部（図４では凹部２０の左右の端部）に接するように吸収体１３の長手方向に延びる矩形領域でありうる。この矩形領域は、図４に示すように、凹部２０が形成されている吸収部分の領域として、凹部形成領域Ｎ１で表すことができる。また、凹部２０が形成されていない領域を凹部非形成領域Ｎ２とする。
【００２６】
本実施形態において、凹部２０は、おむつ１０の吸収部分の幅方向（図４における左右方向）の端部まで形成されているのではなく、中央部に長手方向（図４における上下方向）に沿った帯状に形成されている。本実施形態では、凹部非形成領域Ｎ２を備えているが、本発明はこの形態に限らず、吸収体１３の端部まで凹部２０が設けられていてもよいことは言うまでもない。したがって、本発明は、凹部非形成領域Ｎ２を設けない構成であってもよい。また、本発明は、凹部２０が吸収体１３の長手方向（図４における上下方向）の端部まで形成されない態様や、当該端部まで形成される態様を許容するものである。当該端部まで形成される場合には、通気性および蒸れ防止を向上させることが可能となる。
【００２７】
＜非接合領域＞  
図５は、図３におけるＶ−Ｖ方向断面図である。尚、説明の簡略化のため、図５では被覆部材１８の継ぎ目の記載を省略している（後述する図６および図７も同様）。図５では、吸収体１３とバックシート１２との間にある接合部を第１接合部２１ａと表し、バックシート１２とカバーシート１１との間にある接合部を第２接合部２１ｂと表す。
【００２８】
本実施形態に係るおむつ１０では、図５に示すように、凹部形成領域Ｎ１とカバーシート１１とで挟まれた領域では、吸収体１３とバックシート１２とが接合されておらず、バックシート１２の外側表面、つまり、バックシート１２のうち吸収体１３側と反対側の表面とカバーシート１１とが第２接合部２１ｂを介して接合されている。すなわち、凹部形成領域Ｎ１とバックシート１２とで挟まれた領域には、第１接合部２１ａが配置されないことになる。ここで、凹部形成領域Ｎ１とバックシート１２とで挟まれた領域における第１接合部２１ａが配置されない領域を第１非接合領域２２ａとする。また、本実施形態では、図５に示すように、凹部非形成領域Ｎ２とカバーシート１１とで挟まれた領域には、吸収体１３とバックシート１２とが第１接合部２１ａを介して接合され、バックシート１２とカバーシート１１とが第２接合部２１ｂを介して接合される。したがって、第２接合部２１ｂは、凹部非形成領域Ｎ２とカバーシート１１とで挟まれた領域では、第１接合部２１ａと重なるように配置されているが、凹部形成領域Ｎ１とカバーシート１１とで挟まれた領域には、第１接合部２１ａと重ならないように配置されている。
【００２９】
従来、吸収体に複数の溝を形成したおむつ吸収性物品では、吸収体が液体を吸収したときに、その吸収体に形成された複数の溝の間に在る吸収部分がそれぞれ膨張して、例えば、当該溝部分が次第に消え去る様子が吸収性物品の外側から見え、排尿したことが他人に知られてしまうおそれがあった。
【００３０】
本発明では、凹部形成領域Ｎ１とカバーシート１１とで挟まれた所定の領域に、第１接合部２１ａと第２接合部２１ｂとを少なくとも重ならないように配置することによって、排尿の前後において、吸収性物品の外側が変形しにくくなる。すなわち、吸収体１３が液体を吸収したときに、その吸収体に形成された複数の凹部の間に在る吸収部分がそれぞれ膨張したとしても、その膨張に伴う変形が、接合されない領域によって遮られ、バックシート１２が変形しにくくなる結果、おむつ１０の外側への変形が抑制される。よって、排尿を他人にわかりにくくすることが可能となる。
【００３１】
また、この構成により、吸収体１３とバックシート１２との間に隙間が出来ることによって、湿気の通り道が形成されるので、吸収体に吸収される際の液体から生じる湿気は、透湿性のバックシート１２およびカバーシート１１を通り抜けおむつ１０の外側に排出されることになる。したがって、通気性が向上することが可能となる。
【００３２】
さらに、この構成により、吸収体１３とバックシート１２との間に隙間が出来るので、おむつ１０全体の柔らかさの向上につながる。なお、本実施形態では、カバーシート１１とバックシート１２とが全面的に第２接合部２１ｂを介して接合されているがこれに限られず、本発明では、第２接合部２１ｂを介して間欠的に接合されてもよい。これにより、おむつの柔らかさがさらに向上する。また、本発明では、柔らかさをさらに実現するために、凹部形成領域Ｎ１とカバーシート１１とで挟まれた領域に、接合部をほとんど使用しない態様も許容するものである。しかし、おむつ１０全体の強度を考慮して、適度に接合部（第１接合部２１ａおよび／または第２接合部２１ｂ）を設ける態様であってもよい。
【００３３】
本実施形態では、凹部形成領域Ｎ１とカバーシート１１とで挟まれた領域には、第１接合部２１ａが全く配置されない。しかし、本発明者は、凹部形成領域Ｎ１とカバーシート１１とで挟まれた５０％以上の領域において、第１接合部２１ａと第２接合部２１ｂとが少なくとも重ならないように配置されるという条件を満たせば、第１接合部２１ａが配置されなくとも、本発明の効果を有効に発揮することを発見した。この構成によって、吸収体１３のうち体液を吸収して膨張した部分が外から把握しにくくなり、周りに排尿したことがわかりにくくなる上、おむつ１０の外側のやわらかさを向上させることになる。凹部形成領域Ｎ１とバックシート１２とで挟まれた領域に、第２接合部２１ｂと重なるように第１接合部２１ａを配置する場合、その第１接合部２１ａは、凹部２０の周辺をできるだけ避けて、均一に分散するように配置されることが好ましい。
【００３４】
＜第２実施形態＞  
図６は、本発明の第２実施形態に係るおむつ１０の断面図であり、図３におけるＶ−Ｖ方向断面図である。本実施形態に係るおむつ１０を構成する各要素のうち、同様の機能を有するものについては、第１実施形態と同一の符号を付してその説明を省略する。
【００３５】
本実施形態では、第１実施形態と異ならせ、凹部形成領域Ｎ１とカバーシート１１とで挟まれた領域には、吸収体１３とバックシート１２とが第１接合部２１ａを介して接合されており、カバーシート１１とバックシート１２とが第２接合部２１ｂを介して接合されない。すなわち、凹部形成領域Ｎ１とカバーシート１１とで挟まれた領域には、第２接合部２１ｂが配置されないことになる。ここで、バックシート１２とカバーシート１１とで挟まれた領域における第２接合部２１ｂが配置されない領域を第２非接合領域２２ｂとする。
【００３６】
本実施形態では、第１実施形態と同様、図６に示すように、凹部非形成領域Ｎ２とカバーシート１１とで挟まれた領域には、吸収体１３とバックシート１２とが第１接合部２１ａを介して接合され、バックシート１２とカバーシート１１とが第２接合部２１ｂを介して接合される。したがって、第１接合部２１ａは、凹部非形成領域Ｎ２とカバーシート１１とで挟まれた領域には、第２接合部２１ｂと重なるように配置されているが、凹部形成領域Ｎ１とカバーシート１１とで挟まれた領域には、第２接合部２１ｂと重ならないように配置されている。
【００３７】
本実施形態によれば、第１実施形態と同様に、フィット性および通気性を向上しつつ、排尿を他人に極力知られないようにすることが可能となる。また、カバーシート１１とバックシート１２との間に隙間が出来ることによって、おむつ１０全体の柔らかさの向上につながる。なお、本実施形態では、吸収体１３とバックシート１２とが全面的に第１接合部２１ａを介して接合されているがこれに限られず、本発明では、第１接合部２１ａを介して間欠的に接合されてもよい。これにより、おむつの柔らかさをさらに向上させることが可能になっている。
【００３８】
本実施形態では、凹部形成領域Ｎ１とカバーシート１１とで挟まれた領域には、第２接合部２１ｂが全く配置されない。しかし、本発明者は、凹部形成領域Ｎ１とカバーシート１１とで挟まれた５０％以上の領域において、第１接合部２１ａと第２接合部２１ｂとが少なくとも重ならないように配置されるという条件を満たせば 、第２接合部２１ｂが配置されなくても、本発明の効果を有効に発揮することを発見した。この構成によって、吸収体１３のうち体液を吸収して膨張した部分が外から把握しにくくなり、周りに排尿したことがわかりにくくなる上、おむつ１０の外側のやわらかさを向上させることになる。凹部形成領域Ｎ１とカバーシート１１とで挟まれた領域に、第１接合部２１ａと重なるように第２接合部２１ｂを配置する場合、その第２接合部２１ｂは、凹部２０の周辺をできるだけ避けて、均一に分散するように配置されることが好ましい。
【００３９】
＜第３実施形態＞  
本発明の第３実施形態では、第１実施形態と異ならせ、凹部形成領域Ｎ１とカバーシート１１とで挟まれた領域には、第１接合部２１ａと第２接合部２１ｂとは、重ならないように交互に一定間隔で配置される。すなわち、第１接合部２１ａが配置されない第１非接合領域２２ａと第２接合部２１ｂが配置されない第２非接合領域２２ｂとを交互に一定間隔で設ける。
【００４０】
図７は、本発明の第３実施形態に係るおむつ１０の断面図であり、図３におけるＶ−Ｖ方向断面図である。本実施形態に係るおむつ１０を構成する各要素のうち、同様の機能を有するものについては、第１実施形態と同一の符号を付してその説明を省略する。
【００４１】
本実施形態では、第１実施形態と同様、図７に示すように、凹部非形成領域Ｎ２とカバーシート１１とで挟まれた領域には、吸収体１３とバックシート１２とが第１接合部２１ａを介して接合され、バックシート１２とカバーシート１１とが第２接合部２１ｂを介して接合される。したがって、第１接合部２１ａと第２接合部２１ｂとは、凹部非形成領域Ｎ２とカバーシート１１とで挟まれた領域には、重なるように配置されているが、凹部形成領域Ｎ１とカバーシート１１とで挟まれた領域には、重ならないように配置される。また、本実施形態では、凹部形成領域Ｎ１とカバーシート１１とで挟まれた領域には、第１非接合領域２２ａと第２非接合領域２２ｂとは少し重なって配置されている。
【００４２】
本実施形態によれば、第１実施形態と同様に、フィット性および通気性を向上しつつ、排尿を他人に極力知られないようにすることが可能となる。また、吸収体１３とバックシート１２とカバーシート１１との間に隙間がそれぞれ出来ることによって、おむつ１０全体の柔らかさの向上につながる。
【００４３】
本実施形態では、凹部形成領域Ｎ１とカバーシート１１とで挟まれた領域には、第１接合部２１ａと第２接合部２１ｂとが交互に一定間隔で配置され、第１非接合領域２２ａと第２非接合領域２２ｂとが交互に一定間隔で配置されているが、これに限られない。本発明では、例えば、第１非接合領域２２ａと第２非接合領域２２ｂとが異なる間隔で配置されたり、第１非接合領域２２ａと第２非接合領域２２ｂとが異なる間隔で配置されたりしてもいい。
【００４４】
本実施形態では、凹部形成領域Ｎ１とカバーシート１１とで挟まれた１００％の領域には、第１非接合領域２２ａと第２非接合領域２２ｂとが重ならないように配置されているが、本発明ではこれに限られない。凹部形成領域Ｎ１とカバーシ−ト１１とで挟まれた５０％以上の領域において、第１接合部２１ａと第２接合部２１ｂとが少なくとも重ならないように、且つ、交互に配置されれば、本発明の効果を有効に発揮することになる。この構成によって、吸収体１３のうち体液を吸収して膨張した部分が外から把握しにくくなり、周りに排尿したことがわかりにくくなる上、おむつ１０の外側のやわらかさを向上させることになる。
【００４５】
＜その他＞  
本発明は、上述した各実施形態や、随所に述べた変形例に限られることなく、本発明の技術的思想から逸脱しない範囲で、適宜の変更や変形が可能である。
【００４６】
例えば、上記各実施形態に係るおむつの構造は、上述したような展開型に限定されるわけではなく、特許請求の範囲に規定された吸収性物品の構成を含むおむつでありさえすれば、どのような構成であってもよい。例えば、パンツ型の使い捨ておむつや、尿パッド等であっても本発明を適用可能である。
【００４７】
加えて、上記各実施形態では、吸収体１３のトップシート１４側に複数の凹部２０が形成されるが、これに限られない。例えば、吸収体１３のバックシート１２側に複数の凹部２０が形成したり、吸収体１３のトップシート１４側およびバックシート１２側（吸収体１３の両面）に複数の凹部２０が形成したりしてもよい。
【００４８】
さらに、上記各実施形態では、複数の凹部２０が吸収体１３の表面に連続して形成されることで、斜め格子状の配列パターンが出来上がっているが、これに限られない。例えば、複数の凹部２０は、吸収体１３の表面に間欠的に形成されてもよいし、凹部２０の配列パターンは、例えば、三角形、六角形等の多角形の配列パターン、直線状、曲線状、または波状のものを並列したパターン等様々な配列パターンであってもよい。
【００４９】
上記各実施形態では、凹部形成領域Ｎ１とカバーシート１１とで挟まれた領域において、非接合領域（第１非接合領域２２ａまたは第２非接合領域２２ｂ）を分割して設ける場合、接合部（第１接合部２１ａまたは第２接合部２１ｂ）より当該非接合領域が広い方が、本発明の効果を発揮する上でより好ましい。
【符号の説明】
【００５０】
Ｎ１  凹部形成領域
Ｎ２  凹部非形成領域
１０  おむつ
１０Ａ  ファスニングテープ
１０Ｂ  フロントパッチシート
１０Ｆ  前身頃領域
１０Ｒ  後身頃領域
１０Ｃ  股下領域
１０Ｗ  ウエスト周り開口部
１０Ｌ  脚周り開口部
１１  カバーシート
１１Ｎ、１５Ｎ  切欠き部
１２  バックシート（裏面シート）
１３  吸収体
１４  トップシート（表面シート）
１５  立体ギャザー
１６、１９  糸ゴム
１７  吸収性本体
１８  被覆部材
２０  凹部
２１ａ  第１接合部
２１ｂ  第２接合部
２２ａ  第１非接合領域
２２ｂ  第２非接合領域
【図１】
2018202236.tif 000003
【図２】
2018202236.tif 000004
【図３】
2018202236.tif 000005
【図４】
2018202236.tif 000006
【図５】
2018202236.tif 000007
【図６】
2018202236.tif 000008
【図７】
2018202236.tif 000009